(57)【特許請求の範囲】
【請求項１】
複数本の光ケーブル心線を有する通過型光ケーブルの所定の位置から必要な光ケーブル心線を切断分岐して、外部のドロップケーブルから引き込まれた光ケーブル心線と接続するとともに、残りの光ケーブル心線は切断分岐せずにそのまま通過させる通過型の光ケーブル接続用クロージャであって、
キャップ状のカバー部材と、
前記カバー部材の開口端に嵌合され、前記光ケーブルを前記クロージャ内に導入する孔と該クロージャ外へ導出する孔が設けられた光ケーブル挿通孔と、前記ドロップケーブルを個々に挿通するための孔が直線上に複数配置されたドロップケーブル挿通孔とを有したエントリープレートと、
前記エントリープレートの内側には、
前記光ケーブルから切断分岐された上流側ドロップ用光ケーブル心線と前記ドロップケーブルから引き込まれる下流側ドロップ用光ケーブル心線を接続して収納するドロップトレイと、
光ケーブル心線を分岐せずにそのまま通過する通過心線を収納する通過心線トレイと、
前記ドロップトレイと前記通過心線トレイを前記光ケーブルの導出入方向に対して直交して積層し保持するトレイベースと、
前記ドロップケーブル挿通孔から前記エントリープレートの平面に対して垂直方向に挿通された前記ドロップケーブルの外被を各々把持するドロップ把持部が前記個々のドロップケーブル挿通孔に対応して直線上に複数配置されたドロップケーブル把持具と、
が設けられ、
前記ドロップケーブルが前記ドロップケーブル把持具に把持される方向と、前記下流側ドロップ用光ケーブル心線が前記ドロップトレイに引き込まれる方向が同一方向となる構成としたことを特徴とする光ケーブル接続用クロージャ。
【請求項２】
前記ドロップトレイの一端にヒンジ部が設けられ、該ヒンジ部によって該ドロップトレイが前記トレイベースと積層方向において回動自在及び着脱可能に保持されていることを特徴とする請求項１に記載の光ケーブル接続用クロージャ。
【請求項３】
前記トレイベースには、分岐された光ケーブル心線をドロップケーブルに接続せずに保留収納しておく保留心線トレイが設けられて前記ドロップトレイに積層され、前記保留心線トレイの一端にヒンジ部が形成されて該ヒンジ部によって該保留心線トレイが前記トレイベースと積層方向において回動自在及び着脱可能に保持されていることを特徴とする請求項１又は２に記載の光ケーブル接続用クロージャ。
【請求項４】
前記ドロップトレイ及び前記保留心線トレイを所定の位置に固定するためのストッパーが設けられていることを特徴とする請求項３に記載の光ケーブル接続用クロージャ。
【請求項５】
前記ドロップケーブル挿通孔にはドロップケーブルシール部材が設けられ、該ドロップケーブルシール部材が、導入される個々のドロップケーブルの外形に密着されることによってクロージャ内部の気密性が保持され、ドロップケーブルが導入されない孔は該ドロップケーブルシール部材によって閉口されてクロージャ内部の気密性が保持されることを特徴とする請求項１〜４のいずれか１項に記載の光ケーブル接続用クロージャ。
【請求項６】
光ケーブル挿通孔から導入された前記光ケーブルから引き出されたドロップ用光ケーブル心線を前記ドロップトレイまでガイドする心線ガイドが前記トレイベースに設けられていることを特徴とする請求項１〜５のいずれか１項に記載の光ケーブル接続用クロージャ。
【請求項７】
前記心線ガイドにガイドされたドロップ用光ケーブル心線を保護する心線保護シートが設けられていることを特徴とする請求項６に記載の光ケーブル接続用クロージャ。
【請求項８】
前記エントリープレートの光ケーブル挿通孔からクロージャ内に導入されてきた光ケーブルと、クロージャ外へ導出される光ケーブルの外被を一括して把持固定するケーブルクランプが設けられたことを特徴とする請求項１〜７のいずれか１項に記載の光ケーブル接続用クロージャ。
【請求項９】
前記エントリープレートの光ケーブル挿通孔からクロージャ内に導入されてきた光ケーブルと、クロージャ外へ導出される光ケーブルのテンションメンバを一括して把持固定するテンションメンバ把持部材が設けられたことを特徴とする請求項１〜８のいずれか１項に記載の光ケーブル接続用クロージャ。
【請求項１０】
前記エントリープレートの縁部には前記カバー部材に嵌合されて締結するためのバックルが少なくとも２個対向して設けられ、前記カバー部材には対応する位置に前記バックルを掛け留めるための係止部が形成されていることを特徴とする請求項１〜９のいずれか１項に記載の光ケーブル接続用クロージャ。
【請求項１１】
前記エントリープレートの内側には光ケーブル接続用クロージャ内部の浸水状態を検知する浸水検知モジュールが設けられていることを特徴とする請求項１〜１０のいずれか１項に記載の光ケーブル接続用クロージャ。
【発明の詳細な説明】
【技術分野】
【０００１】
本発明は、ビル等の建物に複数の光ケーブル心線を内包した光通信ケーブルを敷設して分配する際に用いられる光ケーブル接続用クロージャにおいて、特に地下のハンドホールやフィンガーホールなどの狭い場所に配置される光ケーブル接続用クロージャに関するものである。
【背景技術】
【０００２】
一般に、光ケーブル等のケーブルの接続に際しては、コネクタ等を用いてケーブル心線の接続を行いコネクタ等をクロージャで保護する。このようなクロージャ、特に、地下配線接続用のクロージャは内部への浸水を確実に防止できる高度な密閉性が求められる反面、また、心線接続部に容易にアクセスできることが望まれる。
【０００３】
例えば、特許文献１のように、１対の通過型光ケーブルおよび他の分岐用光ケーブルをエンドプレートの片面で出入りさせるように構成したことで、クロージャの配置に制限を受けて一端のみにケーブルの出入り口が集中した方が好都合の鉄道線路に敷設される光ケーブルのような場合に使用される光ケーブル接続用クロージャが開示されている。
特許文献１の発明は、光ケーブルを挿通するエンドプレートの中心軸方向と交差する方向にケーブル心線とその接続部を収納する融着トレーが積層されていて、トレーを引き出すことでトレー内でのケーブルの引き回しや接続作業をする構造となっている。
【先行技術文献】
【特許文献】
【０００４】
【特許文献１】特開２００１−１０００５０号公報
【発明の概要】
【発明が解決しようとする課題】
【０００５】
しかしながら、特許文献１の発明では、エンドプレートに挿通される分岐用光ケーブルの挿通方向と、融着トレーの出し入れ方向が直交して配置されているため、分岐用光ケーブルを最小曲げ半径に注意しながら融着トレーまで引き回さなくてはならず、作業が煩雑で非常に不便であった。
【０００６】
また、融着トレーを引き出さなくては作業ができないため、トレーを引き出すための光ケーブル余長部分を長くする必要があり、当然のことながらトレー引き出しの際には光ケーブルの断線に細心の注意が必要であり、作業の煩雑さを助長してしまう可能性があった。また、トレーを引き出して作業するためのスペースの確保も必要である。通常特許文献１のような装置を設置する場合、光ケーブルの長さ方向つまりエンドプレートの中心軸方向のスペースはカバーの脱着等を含め十分確保されているが、直交方向は狭い場合が多く、トレーを引き出して作業することが困難な場合もありえる。
【０００７】
さらに、接続部が融着トレー内部に収納されているため、接続状態の確認作業ではいちいち融着トレーを引き出さなくてはならず、非常に不便で作業工数もかかってしまうことがあった。
【０００８】
また、分岐用光ケーブルのエンドプレートでの挿通部分では、装置内部の気密性保持のため１本ごとに筒状の端面ゴムパッキンを被せてねじ止めしなくてはならず、分岐用光ケーブルの本数が多くなるほど作業が煩雑になるうえに、エンドプレートにゴムパッキンを取り付けるためのスペースが必要となるので、必然と装置のサイズが大型化することになり、狭い場所での運用が制限され、さらに装置の大型化によって製造コストも大幅に高くなってしまう可能性があった。
【０００９】
本発明は上述のような課題に鑑みなされたものであり、外観形状を小型化することによって地下のハンドホールやフィンガーホールなどの狭い場所に配置でき、しかも光ケーブル心線の配線形態が整理し易く、個々の光ケーブル心線を別々に収納するだけでなく、分岐せずに通過する光ケーブル心線と、分岐する光ケーブル心線の識別が容易で、施工及び保守点検作業が容易となり、追加の分配作業でも非常に簡便に作業を執り行える光ケーブル接続用クロージャを提供することを目的とするものである。
【課題を解決するための手段】
【００１０】
本発明は、上記課題を解決したものであって、請求項１の発明は、複数本の光ケーブル心線を有する通過型光ケーブルの所定の位置から必要な光ケーブル心線を切断分岐して、外部のドロップケーブルから引き込まれた光ケーブル心線と接続するとともに、残りの光ケーブル心線は切断分岐せずにそのまま通過させる通過型の光ケーブル接続用クロージャであって、キャップ状のカバー部材と、前記カバー部材の開口端に嵌合され、前記光ケーブルを前記クロージャ内に導入する孔と該クロージャ外へ導出する孔が設けられた光ケーブル挿通孔と、前記ドロップケーブルを個々に挿通するための孔が直線上に複数配置されたドロップケーブル挿通孔とを有したエントリープレートと、前記エントリープレートの内側には、前記光ケーブルから切断分岐された上流側ドロップ用光ケーブル心線と前記ドロップケーブルから引き込まれる下流側ドロップ用光ケーブル心線を接続して収納するドロップトレイと、光ケーブル心線を分岐せずにそのまま通過する通過心線を収納する通過心線トレイと、前記ドロップトレイと前記通過心線トレイを前記光ケーブルの導出入方向に対して直交して積層し保持するトレイベースと、前記ドロップケーブル挿通孔から前記エントリープレートの平面に対して垂直方向に挿通された前記ドロップケーブルの外被を各々把持するドロップ把持部が前記個々のドロップケーブル挿通孔に対応して直線上に複数配置されたドロップケーブル把持具と、が設けられ、前記ドロップケーブルが前記ドロップケーブル把持具に把持される方向と、前記下流側ドロップ用光ケーブル心線が前記ドロップトレイに引き込まれる方向が同一方向となる構成としたことを特徴とする光ケーブル接続用クロージャである。
【００１１】
また、請求項２の発明は、前記ドロップトレイの一端にヒンジ部が設けられ、該ヒンジ部によって該ドロップトレイが前記トレイベースと回動自在及び着脱可能に保持されていることを特徴とする請求項１に記載の光ケーブル接続用クロージャである。
【００１２】
また、請求項３の発明は、前記トレイベースには、分岐された光ケーブル心線をドロップケーブルに接続せずに収納しておく保留心線トレイが設けられて前記ドロップトレイに積層され、前記保留心線トレイの一端にヒンジ部が形成されて該ヒンジ部によって該保留心線トレイが前記トレイベースと積層方向において回動自在及び着脱可能に保持されていることを特徴とする請求項１又は２に記載の光ケーブル接続用クロージャである。
【００１３】
また、請求項４の発明は、前記ドロップトレイ及び前記保留心線トレイを所定の位置に固定するためのストッパーが設けられていることを特徴とする請求項３に記載の光ケーブル接続用クロージャである。
【００１４】
また、請求項５の発明は、前記ドロップケーブル挿通孔にはドロップケーブルシール部材が設けられ、該ドロップケーブルシール部材が、導入される個々のドロップケーブルの外形に密着されることによってクロージャ内部の気密性が保持され、ドロップケーブルが導入されない孔は該ドロップケーブルシール部材によって閉口されてクロージャ内部の気密性が保持されることを特徴とする請求項１〜４のいずれか１項に記載の光ケーブル接続用クロージャである。
【００１５】
また、請求項６の発明は、光ケーブル挿通孔から導入された前記光ケーブルから引き出されたドロップ用光ケーブル心線を前記ドロップトレイまでガイドする心線ガイドが前記トレイベースに設けられていることを特徴とする請求項１〜５のいずれか１項に記載の光ケーブル接続用クロージャである。
【００１６】
また、請求項７の発明は、前記心線ガイドにガイドされたドロップ用光ケーブル心線を保護する心線保護シートが設けられていることを特徴とする請求項６に記載の光ケーブル接続用クロージャである。
【００１７】
また、請求項８の発明は、前記エントリープレートの光ケーブル挿通孔からクロージャ内に導入されてきた光ケーブルと、クロージャ外へ導出される光ケーブルの外被を一括して把持固定するケーブルクランプが設けられたことを特徴とする請求項１〜７のいずれか１項に記載の光ケーブル接続用クロージャである。
【００１８】
また、請求項９の発明は、前記エントリープレートの光ケーブル挿通孔からクロージャ内に導入されてきた光ケーブルと、クロージャ外へ導出される光ケーブルのテンションメンバを一括して把持固定するテンションメンバ把持部材が設けられたことを特徴とする請求項１〜８のいずれか１項に記載の光ケーブル接続用クロージャである。
【００１９】
また、請求項１０の発明は、前記エントリープレートの縁部には前記カバー部材に嵌合されて締結するためのバックルが少なくとも２個対向して設けられ、前記カバー部材には対応する位置に前記バックルを掛け留めるための係止部が形成されていることを特徴とする請求項１〜９のいずれか１項に記載の光ケーブル接続用クロージャである。
【００２０】
また、請求項１１の発明は、前記エントリープレートの内側には光ケーブル接続用クロージャ内部の浸水状態を検知する浸水検知モジュールが設けられていることを特徴とする請求項１〜１０のいずれか１項に記載の光ケーブル接続用クロージャである。
【発明の効果】
【００２１】
本発明の光ケーブル接続用クロージャは、通過型光ケーブルやドロップケーブルの挿通箇所をエンドプレートに集約させたことによって、敷設作業や保守作業時のケーブルの取り扱いが簡便になり、また、クロージャのサイズを小型、軽量化することによって地下のハンドホールやフィンガーホールなどの狭い場所での作業スペースの確保ができるので作業の効率化に貢献することができる。
また、小型化することによって製造コストを削減することもできる。
【００２２】
また、本発明では、ドロップケーブルがドロップケーブル把持具に把持される方向と、下流側ドロップ用光ケーブル心線がドロップトレイに引き込まれる方向が同一方向となっているので、光ケーブル心線の引き回し時に、心線の最小曲げ半径に注意しながら部材を回避しながら引き回す必要が無く、また、ドロップトレイとドロップケーブル把持具との距離を短く配置すれば、心線の引き回しがさらに簡便となる。
【００２３】
また、本発明の光ケーブル接続用クロージャは、ドロップトレイの一端にヒンジ部を設けてトレイベースと回動自在に取り付けられると、トレイ内での心線の引き回し作業では、作業をしたいトレイと、その作業面に対向するトレイをヒンジ部を中心に回動させればトレイの作業面側に作業スペースを確保することができ、いちいちトレイを引き出す必要が無く、また、トレイの確認作業でも引き出す必要がないので非常に簡単に作業を行うことができる。
【００２４】
さらに、従来のクロージャではトレイを引き出すためトレイ外に露出される光ケーブル余長部分を長くする必要があり、当然のことながらトレー引き出しの際には光ケーブルの断線に細心の注意が必要であったが、本発明のクロージャはトレイを回動するだけでよいので、心線の露出部分が非常に少なく、心線の破断などの可能性が非常に低くなる利点がある。
【００２５】
またさらに、ドロップトレイがヒンジ部で着脱可能となっているので、仮にトレイを取り外す必要があっても迅速に作業を行うことができる。また、敷設場所に応じてドロップトレイの数を調整できるので、敷設場所を選ばず使用することができる。
【００２６】
また、請求項３の発明では、分岐された光ケーブル心線をドロップケーブルに接続せずに保留収納しておく保留心線トレイが設けられているので、後にドロップケーブルに接続する必要が出た場合、予め光ケーブル心線を収納してあった保留心線トレイの心線と接続するだけでよいため、作業が簡便に行える。
【００２７】
また、請求項４の発明では、ドロップトレイと保留心線トレイを一括して所定の位置に固定するためのストッパーが設けられているので、意図せずトレイが動くことを抑制でき、光ケーブルやトレイを確実に保護することができる。
【００２８】
また、請求項５の発明では、ドロップケーブル挿通孔にはドロップケーブルシール部材が設けられているので、クロージャ内の気密性を確保することができる。さらに、従来のクロージャではケーブルごとにシール部材を装着しなければならず非常に煩雑であったが、本発明のドロップケーブルシール部材はドロップケーブルをドロップケーブルシール部材の孔に差し込むだけでシール部材がドロップケーブルの外形に密着するので気密性が保つことができ非常に簡便に敷設作業を行うことができる。さらに、ドロップケーブルを差し込まない孔は自動的に挿通孔を塞ぐこともできる。
【００２９】
また、請求項６の発明では、光ケーブル挿通孔から導入された前記光ケーブルから引き出されたドロップ用光ケーブル心線を前記ドロップトレイまでガイドする心線ガイドが前記トレイベースに設けられているので、配線作業が簡便になるし、心線の識別性も高まるので、保守作業時での確認等が簡便となる。
【００３０】
また、請求項７の発明では、心線ガイド部分に保護シートが設けられているので、不意にドロップ用光ケーブル心線を傷つける可能性が非常に低くなる利点がある。
【００３１】
また、請求項８の発明では、ケーブルクランプによってエントリープレートの光ケーブル挿通孔からクロージャ内に導入されてきた光ケーブルと、クロージャ外へ導出される光ケーブルの外被を一括して把持固定することができるので、作業の簡便化を図れるうえに、部品点数を少なくすることもできるので、装置の小型化や製造コスト削減をすることができる。
さらに、請求項９の発明のように、テンションメンバ把持部材が設けられることによって、光ケーブルのテンションメンバを一括して保持固定でき、光ケーブルをより確実に固定できるので、光ケーブル心線に不要な応力等がかかる心配が無くなる。さらに、テンションメンバ把持部材によってアースをとることも可能である。
【００３２】
また、請求項１０の発明では、カバーをバックルで係止することができるので、作業の効率化を図れるし、狭いスペースでもカバーの取り外し・取り付けを簡便に行うことができる。
【００３３】
また、請求項１１の発明では、クロージャ内に浸水検知モジュールが設けられているので、シール部材の劣化による浸水や、クロージャの損傷による浸水が起こっても検知モジュールによって検知することができるので、補修などの作業を速やかに行うことができる。
【図面の簡単な説明】
【００３４】
【図１】本発明の光ケーブル接続用クロージャの一実施形態のうちカバー部材を取り外した状態の図であり、（ａ）はその正面図、（ｂ）は側面図、（ｃ）は底面図である。
【図２】本発明の光ケーブル接続用クロージャの一実施形態のうちカバー部材を取り外した状態の斜視図であり、（ａ）はその正面側斜視図、（ｂ）は背面側斜視図、（ｃ）はトレイを回動させた図である。
【図３】本発明の光ケーブル接続用クロージャの一実施形態のうちカバー部材を取り付けた状態の図であり、（ａ）はその正面図、（ｂ）は側面図、（ｃ）は底面図である。
【図４】本実施形態におけるエントリープレートの図であり、（ａ）はその平面図、（ｂ）は正面図、（ｃ）は側面図、（ｄ）は底面図、（ｅ）は平面側斜視図、（ｆ）は底面側斜視図である。
【図５】本実施形態におけるドロップトレイの図であり、（ａ）はその正面図、（ｂ）は側面図、（ｃ）は底面図である。
【図６】本実施形態における通過心線トレイの図であり、（ａ）はその正面図、（ｂ）は側面図、（ｃ）は底面図である。
【図７】本実施形態における保留心線トレイの図であり、（ａ）はその正面図、（ｂ）は側面図、（ｃ）は底面図である。
【図８】本実施形態における光ケーブル接続用クロージャのドロップ用光ケーブル心線の配線状態を示す図であり、（ａ）はクロージャ正面図、（ｂ）は右側面図、（ｃ）は左側面のドロップトレイ部分配線図である。
【図９】本実施形態における光ケーブル接続用クロージャの通過心線と保留心線の配線状態を示す図であり、（ａ）はクロージャ正面図、（ｂ）は右側面図、（ｃ）は左側面の保留トレイ部分配線図（ｅ）は右側面の通過心線トレイ部分配線図である。
【発明を実施するための形態】
【００３５】
以下、本発明に係る光ケーブル接続用クロージャについて、図面を参照して説明する。先ず、図１〜図３を参照し、本実施形態の光ケーブル接続用クロージャ１０について説明する。なお、本実施例では、導入される上流側光ケーブルをＡ１、導出される下流側光ケーブルをＡ２、ドロップケーブルをＢ、上流側光ケーブルＡ１から分岐された上流側ドロップ用光ケーブル心線をＣ１、ドロップケーブルＢからの下流側ドロップ用光ケーブル心線をＣ２、上流側通過心線をＤ１、下流側通過心線をＤ２、保留心線をＥとする。
【００３６】
図１は本発明の光ケーブル接続用クロージャ１０の一実施形態のうちカバー部材を取り外した状態の図である。また、図２は斜視図で、図２（ａ）は正面側斜視図で導入される上流側光ケーブルＡ１、導出される下流側光ケーブルＡ２とドロップケーブルＢを挿通させた状態の図であり、図２（ｂ）は背面側斜視図でドロップトレイを取り外してトレイベース部分を見やすくした図である。図２（ｃ）はドロップトレイ３０と保留心線トレイ５０を回動させて収納面を露出させた状態の図である。また、図３はカバー部材を取り付けた状態の外観図となっている。
【００３７】
本発明の光ケーブル接続用クロージャ１０は、主に、キャップ状のカバー部材８０とエントリープレート２０と、内部に設けられたドロップトレイ３０及び通過心線トレイ４０と、ドロップケーブル把持具６０で成り立っている。
【００３８】
略長方形状のエントリープレート２０には光ケーブル挿通孔２１とドロップケーブル挿通孔２２が設けられていて、本発明の光ケーブル接続用クロージャ１０の土台となっている。光ケーブル挿通孔２１には光ケーブルシール部材２５が設けられており、またドロップケーブル挿通孔２２にはドロップケーブルシール部材２４が設けられているので、クロージャ１０内の気密性を確保することができる。さらに、従来のクロージャではケーブルごとにシール部材を装着しなければならず非常に煩雑であったが、本発明のドロップケーブルシール部材２４はドロップケーブルをドロップケーブルシール部材２４の個々の孔に差し込むだけでシール部材がドロップケーブルの外形に密着するので気密性が保つことができ非常に簡便に敷設作業を行うことができる。さらに、ドロップケーブルを差し込まない孔は自動的に挿通孔を塞ぐこともできる。
【００３９】
エントリープレート２０の内側、図１によると上面に略コの字形状のトレイベース２３が取り付けられ、そのトレイベース２３の上面にドロップトレイ３０と保留心線トレイ５０がヒンジ部で回動自在に取り付けられていて、エントリープレート２０の長手方向に積層されている。このドロップトレイ３０と保留心線トレイ５０は収納面が図１（ａ）によると左方向に向いて取り付けられている。また、積層された保留心線トレイ５０のうちの光ケーブル側の保留心線トレイ５０裏面には通過心線トレイ４０が収納面が右方向に向くように係止されている。
【００４０】
ドロップトレイ３０と保留心線トレイ５０は、図２（ｃ）のようにトレイ下部に設けられたヒンジ部によって回動するので、トレイの収納面つまり作業面を速やかに上方へ露出することができ、分岐接続作業や、確認作業が非常に簡便に行うことができる。なお、ドロップトレイ３０と通過心線トレイ４０と保留心線トレイ５０のトレイの色を異なるものにすると、さらに識別性が高まり、施工作業や保守作業の効率化を図れる。
【００４１】
さらに、トレイベース２３とドロップトレイ３０及び保留心線トレイ５０とのヒンジ部の隙間に、ドロップトレイ３０及び保留心線トレイ５０の回動を一括して垂直方向に保持する櫛歯状のストッパー７０が設けられている。これによって、作業時以外はトレイが固定されるので、光ケーブルやトレイを確実に保護することができる。
【００４２】
また、トレイベース２３の壁面にはドロップケーブル挿通孔２２の垂直延長線上にドロップケーブル把持具６０が取り付けられている。ドロップケーブル把持具６０はドロップケーブルＢをドロップ把持部６１によって垂直方向に把持するように取り付けられている。また、水平方向に複数本並列して把持できる構造となっており、それぞれのドロップケーブルＢから引き出された下流側ドロップ用光ケーブル心線Ｃ２が対応するドロップトレイ３０の心線引き込み位置の直下に配置されるようになっている。
【００４３】
さらにトレイベース２３には光ケーブルから分岐された上流側ドロップ用光ケーブル心線Ｃ１をドロップトレイ３０にガイドする心線ガイド２６と、配線された上流側ドロップ用光ケーブル心線Ｃ１を保護する樹脂シート製の心線保護シート２７が設けられている。これら心線ガイド２６と心線保護シート２７によりより安全に分岐作業が行え、保守作業においても心線を傷つけるおそれが少なくなる。
【００４４】
また、エントリープレート２０内側の光ケーブル挿通孔２１に対応する位置に導入される上流側光ケーブルＡ１と導出される下流側光ケーブルＡ２との外被を一括して把持固定することのできるケーブルクランプ８０と、上流側光ケーブルＡ１と下流側光ケーブルＡ２とのテンションメンバを一括して把持固定することのできるテンションメンバ把持部材８１が設けられている。光ケーブルを一括して把持固定できるので部品点数が少なくなり、装置の小型軽量化、製造コストの削減をすることができる。
【００４５】
カバー部材９０は、図３のようにキャップ状で開口部がエントリープレート２０と嵌合される構造となっており、エントリープレート２０の長手方向の縁部に設けられたバックル２８によってしっかりと締結される構造となっている。なお、クロージャ内部の気密性を保持するために、エントリープレート２０の内側縁部のカバー部材９０との嵌合部分にはパッキンが取り付けられている。
【００４６】
また、図２のように、エントリープレート２０の内側底部には浸水検知モジュール９１が設けられていて、その信号線の余長を収納する浸水検知ケーブル収納トレイ９２を通過心線トレイ４０もしくはトレイベース２３に配設可能となっている。
【００４７】
次に、図４を参照して本発明の光ケーブル接続用クロージャの構成部材であるエントリープレート２０の説明をする。エントリープレート２０は、導入される上流側光ケーブルＡと導出される下流側光ケーブルＡ２を挿通するための挿通孔２１が設けられている。また、ドロップケーブルＢを個々に挿通するためのドロップケーブル挿通孔２２が設けられている。ケーブルの配線は全てこのエントリープレート２０により行うので、クロージャの取り回しが簡単で、気密性保持の面でも有利である。
【００４８】
また、図４（ａ）の平面図を及び図４（ｅ）の平面側斜視図を見るように、前述した浸水検知モジュール９０を配置するための溝部が設けられていて、浸水検知モジュール９０が作業の邪魔にならないように配慮されているほか、クロージャ内部で浸水が起こった場合、この溝部に集中して溜まりやすいため、より速やかに浸水信号を発信することもできる。
【００４９】
次に、図５を参照してドロップトレイ３０の説明をする。ドロップトレイ３０は箱形状となっており、光ケーブルから分岐されてきた上流側ドロップ用光ケーブル心線Ｃ１と、ドロップケーブルＢから引き出された下流側ドロップ用光ケーブル心線Ｃ２を接続部３４で接続し、その余長部分を掛け留めて収納するためのトレイである。
【００５０】
ドロップトレイ３０の下端にはヒンジ部３１が設けられており、このヒンジ部３１が、図１、図２で示したトレイベース２３に回動自在に連結されている。通常ドロップトレイ３０は垂直に保持されているが、配線作業をする場合、ヒンジ部３１を中心に心線を収納する面が上方に向くように回動すると、ドロップトレイ３０をわざわざ引き出したり、取り外したりすること無しに作業を行えるので、非常に効率的である。また、従来のクロージャのように引き出す場合はトレー外に露出される光ケーブル余長部分が長くなり、当然のことながらトレー引き出しの際には光ケーブルの断線に細心の注意が必要であったが、本発明のクロージャはトレイを回動するだけでよいので、心線の外部への露出部分が非常に少なく、心線の破断などの可能性が非常に低くなる利点がある。
【００５１】
ドロップトレイ３０には上流側ドロップ用光ケーブル心線Ｃ１を導入するための開口部３２と、下流側ドロップ用光ケーブル心線Ｃ２を導入するための開口部３３が設けられている。特に、開口部３３は図１（ａ）のように配線される心線が一直線上になるように設計すると、配線時に、心線に無理な応力がかかりづらく、心線の保護にも繋がる。また、回動の中心であるヒンジ部３１に近い箇所から導入されるので、トレイを回動させたときに心線が大きく動くことがないようにも配慮されている。
【００５２】
また、ドロップトレイ３０には舌片部３５が設けられていて、心線余長を掛け留めて収納する際に、心線がばらけないように舌片部３５によって押えることができるので、ドロップトレイ３０に蓋をする必要が無く、装置の小型軽量化にも貢献している。
【００５３】
本実施例でのドロップトレイ３０は単芯のドロップ用光ケーブル心線を収納する構造となっている。しかしながらそれに限らず２芯をドロップトレイ３０に収納するような構造としてもよい。
【００５４】
次に、図６を参照して通過心線トレイ４０の説明をする。本実施例での通過心線トレイ４０は、図１及び図２のように、箱形状で保留心線トレイ５０に係止される構造となっている。ただし、ドロップトレイ３０と同様にヒンジ部を設けてトレイベースに回動自在に取り付けられていてもよい。
通過心線トレイ４０は通過する心線をひとまとめに収納するためのトレイであり、図１のようにトレイの深さが他のドロップトレイ３０や保留心線トレイ５０の深さに比べて深くなっている。
【００５５】
通過心線トレイ４０は上流側光ケーブルＡ１からの上流側通過心線Ｄ１を導入する開口部４１と、下流側通過心線Ｄ２となって下流側光ケーブルＡ２へと導出される開口部４２が設けられている。また、舌片部４３が設けられていて、心線余長を掛け留めて収納する際に、心線がばらけないように舌片部４３によって押えることができる。通過心線トレイ４０の中央部付近と縁部には保留心線トレイ５０に係止するための係止部４４及び４５が設けられている。また、浸水検知ケーブル収納トレイ９２を係止する場合のために係止孔４６が設けられている。
【００５６】
通過心線トレイ４０は、一度通過心線の配線作業を終えると、そこから分岐用の心線を取り出したりすることは稀で、接続部もなく保守作業で確認する必要がほとんど無いため、ヒンジ部を設けて回動自在にする必要もないので保留心線トレイ５０に係止する構造としている。なお、通過心線の配線の説明上、上流側通過心線Ｄ１と下流側通過心線Ｄ２と表記しているが、前述のように切断されているわけではない。
【００５７】
次に、図７を参照して保留心線トレイ５０の説明をする。保留心線トレイ５０には数本の心線をまとめて収納することができ、保留心線トレイ５０の形状はドロップトレイ３０の形状と似ており、下端にヒンジ部５１が設けられ、このヒンジ部５１が、図１、図２で示したトレイベース２３に回動自在に連結されている。また、上流側ドロップ用光ケーブル心線Ｃ１を導入するための開口部５２と、ドロップケーブルＢから引き出された下流側ドロップ用光ケーブル心線Ｃ２を導入するための開口部５３が設けられている。また、舌片部５５が設けられていて、心線余長を掛け留めて収納する際に、心線がばらけないように舌片部５５によって押えることができる。
【００５８】
さらに、保留心線トレイ５０には、通過心線トレイ４０を係止するための係止孔５６が設けられており、図１及び図２のように積層された保留心線トレイ５０の光ケーブルＡ、Ｂ側の保留心線トレイ５０に通過心線トレイ４０が係止される構造となっている。
【００５９】
新たに心線を分岐する必要がある場合、例えば、図１（ａ）によると、ドロップケーブルＢをドロップケーブル把持具５０の７番把持部５１に把持させた場合、保留心線トレイ５はヒンジ部５１で回動自在となっているので収納面の作業スペースを確保するようにトレイを回動させ、心線を１本取り出す。そして、新たにドロップトレイ３０を追加するドロップケーブルＢの直上に取り付けて取り出した心線とドロップケーブル側の心線をトレイ内部で配線することで作業が完了する。仮に従来のように通過心線から新た心線を分岐しようとすると、心線の使用状態の確認作業や分岐作業が煩雑であるばかりでなく、既に使用されている心線を誤って切断分岐するおそれがあるが、本発明ではその心配が無くなるという利点がある。
【００６０】
次に、光ケーブル接続用クロージャ１０内部の心線の配線状態を図８及び図９を参照して説明する。
まず、ドロップ用光ケーブル心線Ｃ１、Ｃ２の配線状態を図８に示す。
上流側光ケーブルＡ１より分岐された上流側ドロップ用光ケーブル心線Ｃ１は、心線ガイド２６にガイド保護されながらドロップトレイ３０の開口部３２よりトレイ内に導入され、舌片部３５に保持されながらトレイ内に掛け留められ、上流側ドロップ用光ケーブル心線Ｃ１の端部を接続部３４に取り付けられる図示しない接続端子に接続される。
【００６１】
また、図８（ａ）のようにドロップトレイ３０の直下のドロップケーブル把持具６０のこの図では第１把持部６１に把持されたドロップケーブルＢの開口端から取り出された下流側ドロップ用光ケーブル心線Ｃ２は、ドロップトレイ３０の開口部３３よりトレイ内に導入され、舌片部３５に保持されながらトレイ内に掛け留められ、下流側ドロップ用光ケーブル心線Ｃ２の端部を、接続部３４に取り付けられる図示しない接続端子に接続される。
【００６２】
このように、ドロップケーブルＢの開口端とドロップトレイ３０の開口部３３の位置が図８（ａ）のように直線上にあるので、心線の方向が同一方向に配線することにより光ケーブル心線の引き回し時に、心線の最小曲げ半径に注意しながら引き回す必要が無く、また、ドロップトレイ３０とドロップケーブル把持具５０の距離を図のように短く配置すれば、心線の引き回しがさらに簡便となる。なお、本実施例では図８（ｂ）のように完全に一直線上に心線が配置されているわけではないが、ドロップケーブル把持具５０の形状やドロップケーブル把持具５０が取り付けられているトレイベース２３の形状を変更することにより容易にドロップケーブルＢの開口端とドロップトレイ３０の開口部３３を完全に一直線上に配置することが可能である。
【００６３】
次に、通過心線Ｄ１、Ｄ２と保留心線Ｅの配線状態を図９に示す。
通過心線は本クロージャでは分岐せずに通過するのみなので、心線をひとまとめにして上流側通過心線Ｄ１を通過心線トレイ４０の開口部４１からトレイ内に導入され、舌片部４３に保持されながらトレイ内に掛け留められ、開口部４２よりトレイ外へ導出されて、下流側光ケーブルＡ２へと導かれる。
また、後に分岐するための保留心線Ｅは、上流側光ケーブルＡ１から数芯づつまとめてそれぞれの保留心線トレイ５０の開口部５２からトレイ内に導入され、舌片部５５に保持されながらトレイ内に掛け留められる。保留状態なので、保留心線Ｅの端部はトレイ内部に収納されている。
新たに心線を分岐する必要がある場合、保留心線トレイ５はヒンジ部５１で回動自在となっているので収納面の作業スペースを確保するようにトレイを回動させ、心線を１本取り出す。そして、新たにドロップトレイ３０を追加するドロップケーブルＢの直上に取り付けて取り出した心線とドロップケーブル側の心線をトレイ内部で配線することで作業が完了する。仮に従来のように通過心線から新た心線を分岐しようとすると、分岐作業が煩雑であるばかりでなく、既に使用されている心線を誤って切断分岐するおそれあるが、本発明ではその心配が無くなるという利点がある。
【符号の説明】
【００６４】
Ａ１  上流側光ケーブル
Ａ２  下流側光ケーブル
Ｂ  ドロップケーブル
Ｃ１  上流側ドロップ用光ケーブル心線
Ｃ２  下流側ドロップ用光ケーブル心線
Ｄ１  上流側通過心線
Ｄ２  下流側通過心線
Ｅ  保留心線
１０  光ケーブル接続用クロージャ
２０  エントリープレート
２１  光ケーブル挿通孔
２２  ドロップケーブル挿通孔
２３  トレイベース
２４  ドロップケーブルシール部材
２５  光ケーブルシール部材
２６  心線ガイド
２７  保護シート
２８  バックル
３０  ドロップトレイ
３１  ヒンジ部
３２、３３  開口部
３４  接続部
３５  舌片部
４０  通過心線トレイ
４１、４２  開口部
４３  舌片部
４４、４５  係止部
４６  係止孔
５０  保留心線トレイ
５１  ヒンジ部
５２、５３  開口部
５４  接続部
５５  舌片部
５６  係止孔
６０  ドロップケーブル把持具
６１  ドロップ把持部
７０  ストッパー
８０  ケーブルクランプ
８１  テンションメンバ把持部材
９０  カバー部材
９１  浸水検知モジュール
９２  浸水検知ケーブル収納トレイ
【図１】
0005774453.tif 000002
【図３】
0005774453.tif 000003
【図４】
0005774453.tif 000004
【図５】
0005774453.tif 000005
【図６】
0005774453.tif 000006
【図７】
0005774453.tif 000007
【図８】
0005774453.tif 000008
【図９】
0005774453.tif 000009
【図２】
0005774453.tif 000010